(57)【要約】【課題】ゴミ袋を不透明で着脱容易なカバーで覆い、視覚で索餌するカラスなどのゴミ袋の食い荒らしを防止するとともに、ゴミ処理量の減量と景観の向上を図る。【解決手段】ＵＶシートなど不透明で柔軟な素材で上下とも開口した円筒形を作り、下部の円周を折り返し鎖などの錘を内包させ縫合し、上部の開口部は４点中の相対する２点が中央部で接するＨ形に重ね合わせ（中央部は外側同志の２枚重ね、中央部以外は４枚重ね）縫合することを特徴とするカバーを供する。下部を開きゴミ袋の上部から被せることでカラスや近隣の人々にゴミ袋が見えなくした。下部の錘はカバーを被せることを容易にし、路上などとカバーの密着を確実にし、収集時にはカバーを上方向に引き抜くだけでゴミ袋を取り出すことができ、収集作業後に路上に放置されても飛散しにくい。カバーを持ち上げるだけで自然に折りたたみやすい形状になる。【選択図】図１
2010280487.tif 000002
【特許請求の範囲】
【請求項１】
不透明で柔軟なシート素材を用いて上下が開口した円筒状に構成され、下部の開口部に錘となる鎖等を内包して縫合（接着、融着を含む）した折り返し部を有し、上部の開口部は相対する２点を中央部で接してＨ形に重ね合わせ（中央部は外側同志の２枚重ね、中央部以外は４枚重ね）縫合することを特徴とする、カラス等の食害防止用、プライバシー保護用、および景観向上用のゴミ袋カバー。
【発明の詳細な説明】
【技術分野】
【０００１】
本考案は、家庭生ごみの袋をカラス等の視界から目隠しをすることで、カラス等による食害を軽減すること、および家庭生ゴミ等の袋の内容物を周囲の視界から目隠しをすることで、食生活などのプライバシーを守ることを目的とする簡易な目隠しカバーに関するものである。
【背景技術】
【０００２】
家庭から出される生ごみは、中身が透けて見えるゴミ袋に入れられて、収集日に路上などに置かれている。中身が透けて見えるゴミ袋に入れることは、ごみ収集の際に収集作業者が中身の安全性を目視で確認できるようにするためと聞く。ゴミ袋の内容物が透けて見えることから、視力で索餌するといわれるカラスなども内容物を目視してゴミ袋を破り食害を引き起こしていることは周知の通りである。
【０００３】
しかし、中身が見えない不透明な袋等に生ゴミなどを入れてゴミ収集に供することは、ゴミ収集の安全性の観点から禁じられており、内容物を透視できる規格に合致したゴミ袋での収集が一般的に行われている。このことは、視力で索餌するといわれるカラスも内容物を目視することができ、袋を食い破って食害を引き起こす大きな原因となっている。
【０００４】
ゴミ収集の日に、各家庭からの生ゴミの入ったゴミ袋がカラスなどにより食い破られて、内容物が路上に散乱する様は住区の美観を損ねるにとどまらず環境衛生面においても大きな問題であるとともに、カラスなどが大きな群れで集まることによる人的被害などの問題を引き起こしている。
【０００５】
この改善策としてネット（網）を被せたり、袋状のネットにゴミ袋を収納するなどカラスなどがゴミ袋を食い破りにくくしたり、また袋が食い破られた場合でも内容物の生ゴミなどを口にできにくくすることが広く行われているが、被せたネットを引き剥がされる、また袋状のネットでは収集時のネットからの取り出しに手間が掛かるなどの欠点があった。
【０００６】
さらには、カラスなどが黄色い色に特異な視覚を有するとの理由から、黄色のネットを使用する試みもおこなわれているがカラスなどの視覚からゴミ袋の中身を遠ざけるには不十分で、また黄色の素材のネットは紫外線による退色など耐候性の問題があること、特殊な素材であるためコストが高くなるなどの欠点があった。
【０００７】
ネットを使用せずにブルーシートなどをゴミ袋の上にかぶせる方法も広く行われているが、隙間ができやすく、ゴミ袋をカラスなどの視線から目隠しするには不十分であり、かつゴミ収集
前、収集後において風などにより飛散しやすいという問題がある。
【０００８】
カラスなどが黄色い色に特異な視覚を有するとの理由で黄色系の半透明なゴミ袋も開発され販売されてきているが、特殊な素材であるためコストが高くなるという問題がある。
【０００９】
他方では、ゴミ袋の中身が見えないように、中身を新聞紙などで包んだ上で半透明なゴミ袋に入れるなど、プライバシーを守る必要にも迫られている。本来は回収して再利用するべき
新聞紙や広告チラシ、紙袋などをゴミとして廃棄することは、ゴミ処理するゴミの量を増大させているという看過できない側面を有している。
【先行技術文献】
【特許文献】
【００１０】
【特許文献１】登録実用新案第３１１７４３６号における鳥獣よけごみ袋はカラスの口ばしが入らない大きさの網目のネットで作った袋の上部を巾着のように紐で絞るものであるが、ごみ収集の際に作業者はネットの袋の上部の紐を緩めて袋の口を開いてからゴミ袋を取り出すという手順が必要になるという問題がある。
【特許文献２】実用新案登録第３１１０３２０号におけるカラスやネコの被害を防ぐゴミ収納用の袋タイプネットは、下部が閉じられた袋状ネットの上部が開口部となっているので、ごみ収集の際に作業者が袋タイプネットの下部を持ってネットを引き抜くと、ゴミ袋は結んで閉じられた口部（通常はここを持って収集車に入れる）が下になるか、または横転することとなり、ごみ収集の際の作業者に負担となる問題がある。
【特許文献３】特許公開２００６−１１１３７８におけるゴミ袋カバーは素材としてネットではなく布材（生地）を使用した筒状ではあるが、筒状の下部にヒダを設けて傘状に開くように加工すること、また入り口には蓋を有する入口筒を設けていること、メッシュの空気窓を設けていること、などから製作が複雑になりコストが掛かるという問題がある。また最初の幾つかのゴミ袋は外周の折り返し布の上に載るように収納しなければならないなど、使用方法が煩雑であって日常の使用にあっては実用的でない。
【特許文献４】特許第４０４１１５２号における返しを有する固定具は網や布で筒状の覆いであり、覆いの一端もしくは両端に自重で筒状の覆いを閉じる投入口を設け、かつ筒状体の底部（腹部）に切れ目を設けて収納されたゴミ袋の排出開口部を設けたもので、ごみ袋は投入口から筒状の覆いの中に滑り落ち、収集の際にはごみ袋は底部（腹部）の排出開口部から排出されるが、ゴミ袋が投入できる大きさでかつ自重で筒状の覆いを閉じる投入口が必要なこと、また自重で投入口を閉じるために袋状の覆い部も大きくなることから、コストが掛かるという問題がある。
【非特許文献１】大倉工業株式会社／三井化学プラテック株式会社「カラス対策用ゴミ袋の開発に関するお知らせ」平成１６年９月１５日は両社の社長名で広報されたもので、カラスによるごみ荒らしは従来の黒いゴミ袋ではほとんど見られなかったこと、中身の分別状況の視認とごみ収集作業員の危険防止のため半透明のゴミ袋を指定してから被害が一気に拡大したこと、カラスはゴミ袋の中身を目視して索餌すること、カラスが黄色系に特異な視覚を有することを検証してカラスには中身の見えないゴミ袋を開発したこと、効果をフィールド実験で確かめたことを報告している。この黄色系の特殊なゴミ袋は通常の半透明ゴミ袋に比べて価格が高く、毎回の使い捨てというゴミ袋の性格から、家庭のコスト負担が大きいという問題がある。
【発明の概要】
【発明が解決しようとする課題】
【００１１】
視力で索餌するといわれるカラスなどからゴミ袋の内容物を見えないように遮蔽することで、カラスなどの食害による生ごみの散乱を防ぐことである。
【００１２】
ごみ収集前のゴミ袋の内容物を隣人たちの目から遮断することで、ゴミの内容物から窺い知られるプライバシーを保護することである。
【００１３】
ゴミ袋の内容物を包み込む新聞紙等、回収して再生利用すべき資源の廃棄を減らすことでゴミ処理量を減少させるとともに、新聞紙など再生可能な資源の回収を向上することである。
【課題を解決するための手段】
【００１４】
生ゴミをカラスなど、および隣人等の視線から遮蔽するためにＵＶシートなどの不透明で柔軟な素材を用いて図２のような円筒形を成し、下部の円周に鎖などの錘を配して地面（路面）との密着を良好にするとともに風による飛散を防ぎ、更に図３に示すように上部の開口部を相対する２点が中央部で接するようしてＨ形に重ね合わせて（このとき中央部は外側同志の２枚重ね、中央部以外は４枚重ね）縫合した。
【発明の効果】
【００１５】
下部に鎖など変形できる錘を配しているのでゴミ袋に被せることが容易であり、かつ下部が開口しているのでゴミ収集作業時には上部を引っ張ることで容易に引き抜くことができる。上部で相対する２点が縫合部の中央で接しているため、図５のように縫合部を持ち上げると下部の相対する２点も重力で錘が内側に引き込まれＨ型を形成して折り畳みに都合がよいという利点があり、更には中央部だけが２枚重ねで薄いので半折にして、より小さく保管できる利点がある。
【００１６】
構成が簡単なので取り扱いが容易であるとともに、製作が容易であり、安価に提供できるという利点がある。
【００１７】
カラスなどの食害によるゴミの散乱を防いで住区の美観を保ち、環境衛生面の向上を図れるとともに、カラスなどが大きな群れで集まることによる人的被害などを防ぐことができる。
【００１８】
住区の景観に似合う色合いの不透明な素材を用いることができるので、ゴミ収集日の景観を落ち着いたものにすることができるという利点がある。
【００１９】
ゴミ袋の内容物のプライバシー保護のために内容物を包む新聞紙など回収して再生利用すべき資源の廃棄を減らすことでゴミ処理量を減量できるとともに、新聞紙など再生可能な資源の回収を向上できる利点がある。
【図面の簡単な説明】
【００２０】
【図１】図１は発明の実施方法を示した説明図である。（実施例１）
【図２】図２は発明の実施方法のうち上部を縫合する前の円筒形を示した説明図である。（実施例１）
【図３】図３は発明の実施方法のうち上部の縫合部を上から見た説明図である。（実施例１）
【図４】図４は発明の実施方法のうち上部を縫合した後の円筒形の位置関係を示した説明図である。（実施例１）
【図５】図５は発明の実施方法のうち上部の縫合部を持ち上げた時の形状を示した説明図である。（実施例１）
【発明を実施するための形態】
【００２１】
ＵＶシート等の不透明で柔軟な素材を用いて、余裕をもってゴミ袋を収納できる大きさの円筒を成し、一方の開口部を折り返して錘となる鎖等を内包して縫合し、他方の開口部は相対する２点が中央部で接するようしてＨ形に重ね合わせて（このとき中央部は外側同志の２枚重ね、中央部以外は４枚重ね）縫合することで実現した。
【実施例１】
【００２２】
図１は発明の実施例であって、１は不透明で柔軟な素材で作られた本体であり、２は錘として鎖等を内包して縫合された折り返し部である。３はＨ形に重ね合わせた縫合部である。
【００２３】
図２は発明の上部縫合前の構造例であって、１〜２は図１と同様である。Ａ〜Ｈは構造を説明するための位置関係を示すものであって、ＡＢＣＤは上部の円周上の位置、ＥＦＧＨはそれぞれＡＢＣＤに対応した下部円周上の位置を示す。
【００２４】
図３は発明の上部縫合後の構造を上から見たものであって、縫合部はＡ、Ｃを中央部に引き寄せて、その外側にＢ、Ｄを重ねてＨ型を構成していることを示している。Ａ、Ｃに対応するＥ、Ｇは縫合部を持ち上げた時、重力によりＡ、Ｃの下に移動するため下部も自然にＥ、Ｇが内側に入り込んだＨ型を形成する。１〜３は図１と同様であり、Ａ〜Ｈは図２と同様である。
【００２５】
図４は発明の構造例と縫合前の円筒状の位置関係を示すものであって、１〜３は図１と同様であり、Ａ〜Ｈは図２と同様である。
【００２６】
図５は発明の実施例であって、上部縫合部を持ち上げるとＡ、Ｃに対応する下部は重力によってＡ、Ｃの直下に移動するため下部も自然にＨ型を構成する。このときＡ、ＣとＦを結ぶ線上は２重であり、その他の部分は４重となるので、Ａ、Ｃの線上で縦に二つ折りにすることが容易となる。１〜３は図１と同様であり、Ａ〜Ｄ、Ｆは図２と同様である。
【００２７】
視力で索餌するカラスなどはＵＶシートなどの不透明な素材でカバーされたゴミ袋を見ることができず、ゴミ袋を食い荒らす食害の防止に有効であるととともに、近隣住民の目からもプライバシーを守ることに有効である。
【００２８】
円筒部の素材は不透明で柔軟な耐候性に優れたものであれば色も含めて制約は特に無いが、例えば銀灰色のＵＶシートなどを使用することはゴミ収集時の景観の向上に有効である。
【産業上の利用可能性】
【００２９】
透明なゴミ袋にかぶせることで容易にカラスや周囲の人の目から生ゴミ等を遮蔽することができ、ごみ収集の際のカラス等による食害および周囲の人々の目からプライバシーを守ることができるとともに、自衛策として新聞紙などで生ゴミ等を包み込む必要が無くなることにより古紙など有用資源の活用と、ゴミ処理量の減少を図ることができる。更には落ち着いた色の素材を使用することによる景観の美化にも適用できる。
【符号の説明】
【００３０】
１       本体
２       縫合した折り返し部（錘として鎖等を内包）
３       上部縫合部
Ａ       本体上部の位置Ａ
Ｂ       本体上部の位置Ｂ
Ｃ       本体上部の位置Ｃ
Ｄ       本体上部の位置Ｄ
Ｅ       本体下部の位置Ｅ
Ｆ       本体下部の位置Ｆ
Ｇ       本体下部の位置Ｇ
Ｈ       本体下部の位置Ｈ
【図１】
2010280487.tif 000003
【図２】
2010280487.tif 000004
【図３】
2010280487.tif 000005
【図４】
2010280487.tif 000006
【図５】
2010280487.tif 000007
【手続補正書】
【提出日】平成21年10月26日(2009.10.26)
【手続補正１】
【補正対象書類名】特許請求の範囲
【補正対象項目名】請求項１
【補正方法】変更
【補正の内容】
【請求項１】
不透明で柔軟なシート素材を用いて上下が開口した円筒状に構成され、下部の開口部に錘となる鎖等を内包して縫合（接着、融着を含む）した折り返し部を設け、上部の開口部は相対する２点を中央部で接してＨ型に重ね合わせ（中央部は外側同志の２枚重ね、中央部以外は４枚重ね）縫合することで、上部を持ち上げると錘となる鎖等を内包した下部の相対する２点が重力作用で内側に引き込まれて上部に倣うＨ型を形成するようにしたゴミ袋カバー。
【手続補正書】
【提出日】平成21年11月24日(2009.11.24)
【手続補正１】
【補正対象書類名】特許請求の範囲
【補正対象項目名】請求項１
【補正方法】変更
【補正の内容】
【請求項１】
不透明で柔軟なシート素材を用いて上下が開口した円筒状に構成され、下部の開口部に錘となる鎖等を内包して縫合又は接着又は融着した折り返し部を設け、上部の開口部は相対する２点を中央部で接してＨ型に重ね合わせ（中央部は外側同士の２枚重ね、中央部以外は４枚重ね）縫合又は接着又は融着することで、上部を持ち上げると錘となる鎖等を内包した下部の相対する２点が重力作用で内側に引き込まれて上部に倣うＨ型を形成するようにしたゴミ袋カバー。